(57)【要約】【課題】簡単な構成、且つ、高い視覚効果を得ることが可能な包装容器を提供すること。【解決手段】巻きたばこＴをその内部に包装する包装容器１において、その上部に開口端を有する収納体５と、収納体５の開口端を閉塞する蓋体６と、収納体５及び蓋体６を一体、且つ、蓋体６を収納体５に対して回動可能に連結するヒンジ部７と、格子４９が設けられたゲージ４３、及び、異なる画像４４Ａ，４４Ｂを有し、格子４９に対して移動することで、格子４９の隙間に位置する画像４４Ａ，４４Ｂを表示させる下絵紙４２を有する、収納体５に設けられた表示部８と、を備える構成とする。【選択図】      図１
2012184010.tif 000002
【特許請求の範囲】
【請求項１】
巻きたばこをその内部に包装する包装容器において、
その上部に開口端を有する収納体と、
前記収納体の開口端を閉塞する蓋体と、
前記収納体及び前記蓋体を一体、且つ、前記蓋体を前記収納体に対して回動可能に連結するヒンジ部と、
隙間を有する格子が設けられたゲージ、及び、異なる複数の画像を有し、前記格子に対して移動することで、前記格子の隙間に位置する前記画像を表示させる下絵紙を有する、前記収納体に設けられた表示部と、
を備えることを特徴とする包装容器。
【請求項２】
前記下絵紙は、前記蓋体に接着される接着部と、前記接着部と一体に設けられた前記複数の画像を有する下絵と、前記接着部及び前記下絵との間に設けられ、前記ヒンジ部に位置する折線と、を具備し、前記蓋体の回動に伴って前記蓋体に接着された前記糊代が回動することで、前記下絵が前記ゲージに対して前記収納体の内部を移動することを特徴とする請求項１に記載の包装容器。
【請求項３】
前記ゲージは、透明の樹脂材料により形成された基材と、前記基材に設けられた前記格子と、前記基材を前記収納体に固定する舌部と、を備えることを特徴とする請求項２に記載の包装容器。
【発明の詳細な説明】
【技術分野】
【０００１】
本発明は、巻きたばこを包装する包装容器に関する。
【背景技術】
【０００２】
現在、紙巻たばこや葉巻たばこ等の巻きタバコは、例えば１０本又は２０本といった本数毎に包装容器により包装されている。このような包装容器は、所謂個装と呼ばれ、アルミ箔加工紙等の中包紙と、この中包紙を覆う外包紙によって形成される。外包紙は、所謂ソフトパック又はソフトパッケージと呼ばれる薄紙で形成されたものや、所謂ハードパック、ハードパッケージ又はボックスと呼ばれる、板紙を箱型に組み立てて形成されたものが知られている（例えば、特許文献１参照）。
【０００３】
このような包装容器は、巻きたばこの製品名や成分量等の製品の情報が印刷されおり、当該巻きたばこの情報を伝達する手段でもある。また、包装容器には、他製品との差別化や購入者等の購買意欲の増加を目的として、製品の名称、トレードマーク、図形及び色彩等の組み合わせによるデザインにより視覚的効果を持たせたものも知られている。
【先行技術文献】
【特許文献】
【０００４】
【特許文献１】特表２００６−５０４５９０号公報
【発明の概要】
【発明が解決しようとする課題】
【０００５】
上述した包装容器では、以下の問題があった。即ち、更なる他製品との差別化や、購買意欲の増加のために、包装容器の外面に印刷されたデザイン以外に、高い視覚効果を持たせた包装容器の要望もある。このような視覚効果を得るために、包装容器の外面に凹凸を設けてより視覚効果を得ることも考えられる。
【０００６】
しかし、包装容器の外面に突起を形成すると、包装容器の梱包数が低減するなどの問題があり、このため、包装容器の外形状に制限がある。このため、現状においては、視覚効果はパッケージデザインのみで得ている、という問題がある。
【０００７】
また、包装容器は、巻きたばこを包装するためのものであり、視覚効果を得るために複雑な構成とすると、包装容器の製造コストが増大し、製品価格の増大の要因となり、製品の流通を阻害する虞もある。
【０００８】
そこで、本発明は、簡単な構成、且つ、高い視覚効果を得ることが可能な包装容器を提供することを目的としている。
【課題を解決するための手段】
【０００９】
前記課題を解決し目的を達成するために、本発明の包装容器は次のように構成されている。
【００１０】
本発明の一態様として、巻きたばこをその内部に包装する包装容器において、その上部に開口端を有する収納体と、前記収納体の開口端を閉塞する蓋体と、前記収納体及び前記蓋体を一体、且つ、前記蓋体を前記収納体に対して回動可能に連結するヒンジ部と、隙間を有する格子が設けられたゲージ、及び、異なる複数の画像を有し、前記格子に対して移動することで、前記格子の隙間に位置する前記画像を表示させる下絵紙を有する、前記収納体に設けられた表示部と、を備える。
【発明の効果】
【００１１】
本発明によれば、簡単な構成、且つ、高い視覚効果を得ることが可能な包装容器を提供することが可能となる。
【図面の簡単な説明】
【００１２】
【図１】本発明の一実施の形態に係る包装容器の構成を示す斜視図。
【図２】同包装容器の要部構成を示す平面図。
【図３】同包装容器の要部構成を示す平面図。
【図４】同包装容器の構成を模式的に示す斜視図。
【図５】同包装容器のブランクを示す平面図。
【図６】同包装容器の要部構成を示す平面図。
【図７】同包装容器の要部構成を示す平面図。
【発明を実施するための形態】
【００１３】
以下、本発明の第１の実施の形態に係る包装容器１を、図１〜７を用いて説明する。  
図１は本発明の第１の実施の形態に係る包装容器１の構成を背面側から示す斜視図、図２は包装容器１の構成を背面側から示す平面図、図３は包装容器１の構成を背面側から示す平面図、図４は包装容器１の構成を正面側から示す斜視図、図５は同包装容器１のブランク２の構成を示す平面図、図６は包装容器１に用いられる下絵紙４２の構成を示す平面図、図７は包装容器１に用いられるゲージ４３の構成を示す平面図である。
【００１４】
なお、図１〜４中、包装容器１の、収納体５の開口端が視認可能な側を正面側、ヒンジ部７が設けられる側を背面側として以下説明する。
【００１５】
図１〜４に示すように、包装容器１は、収納体５と、蓋体６と、ヒンジ部７と、表示部１０と、を備えている。包装容器１は、これら収納体５、蓋体６及びヒンジ部７が一体に形成される。また、包装容器１は、被包装体の包装時においては、その外形状が略直方体に形成されている。
【００１６】
具体的に説明すると、包装容器１は、例えば、被包装体である葉巻たばこ又は紙巻たばこ等の巻きたばこＴ（以下「たばこＴ」として説明）を包装可能な、所謂ハードパック、ハードパッケージ若しくはボックスと呼ばれるたばこ箱であり、収納体５内部に内包体を有している。
【００１７】
包装容器１は、その材料として、紙巻たばこＴを包装可能な紙素材が用いられる。このような紙素材の一例として、例えばミードウエストベーコ社製、ハイイールドプリントコート（登録商標）のグラメジ（ｇｒａｍｍａｇｅ）が２２１ｇ／ｍ３の紙素材が用いられる。なお、紙素材は、これに限定されず、適宜使用可能である。後述する内体９を除く包装容器１は、図５に示すように、紙素材から、打ち抜き加工により形成されたブランク２を組み立てることで形成される。
【００１８】
なお、内包体は、中包紙であって、例えば、包装容器１の開封までたばこＴの束を直接包装し、たばこＴの劣化を防止可能に形成されている。内包体は、保湿性及び保香性等を有している。この内包体は、主として、アルミニウムの膜が蒸着又は積層された紙が用いられるが、本実施の形態では内包体の詳細な構成、及び、図面中への記載は省略する。
【００１９】
図１〜４に示すように、収納体５は、外体８と内体９とを備え、外体８及び内体９の上端により、収納体５の内部を開口する開口端が形成されている。外体８は、上端部が後方から前方に向って下方に傾斜して開口する箱体である。外体８は、第１前壁１１と、第１後壁１２と、一対の第１側壁１３と、底壁１４とを備えている。
【００２０】
第１前壁１１は、矩形状、例えば、平面視で幅方向が高さ方向よりも短い長方形状に形成されている。第１後壁１２は、第１前壁１１よりもその高さ方向に長い矩形状に形成され、その上方にヒンジ部７を有する。第１後壁１２は、その一部に、表示部１０を備えている。なお、第１後壁１２は、ヒンジ部７を介して蓋体６の一部と一体に連続して形成されている。
【００２１】
第１側壁１３は、第１前壁１１及び第１後壁１２を連結させるとともに、その上端が傾斜する台形状に形成されている。底壁１４は、平面視で長方形状に形成され、第１前壁１１、第１後壁１２及び一対の第１側壁１３をこれら下端側で連結する。
【００２２】
内体９は、第１前壁１１及び第１側壁１３の内面に沿って設けられている。具体的には、内体９は、前内壁１７と一対の側内壁１８と、を備えている。前内壁１７は、第１前壁１１の内面に設けられる。前内壁１７は、第１前壁１１の上方から突出する。側内壁１８は、第１側壁１３の内面にそれぞれ設けられる。側内壁１８は、一対の第１側壁１３の上方からそれぞれ突出する。
【００２３】
また、内体９は、前内壁１７及び側内壁１８が第１前壁１１及び第１側壁１３の内面に接着剤等により接着されている。内体９は、外体８の第１前壁１１及び第１側壁１３に沿った壁を形成することで、蓋体６の案内を行うと共に、蓋体６が収納体５の開口端を閉塞時に、蓋体６の内面と少なくともその一部が干渉することで、蓋体６の移動を規制可能に形成されている。
【００２４】
蓋体６は、第２前壁２１と、第２後壁２２と、一対の第２側壁２３と、天壁２４と、を備えている。蓋体６は、収納体５を覆うことで、収納体５の開口端を閉塞可能に形成されている。
【００２５】
第２前壁２１は、平面視で幅方向が高さ方向よりも長く、且つ、その幅は、第１前壁１１と略同一寸法の矩形状に形成されている。第２後壁２２は、第２前壁２１よりも高さ方向に短い矩形状に形成され、その下方にヒンジ部７が形成されている。即ち、第２後壁２２は、ヒンジ部７を介して第１後壁１２と連続して形成される。
【００２６】
第２側壁２３は、第２前壁２１及び第２後壁２２を連結するとともに、その下端が傾斜する台形状に形成されている。なお、第２側壁２３は、その下端の傾斜角度が、第１側壁１３の上端の傾斜角度と略同一の角度に形成されている。天壁２４は、平面視で長方形状に形成され、第２前壁２１、第２後壁２２及び一対の第２側壁２３を上端側で連結する。
【００２７】
ヒンジ部７は、第１後壁１２及び第２後壁２２間に設けられ、第１後壁１２に対して第２後壁２２を回動可能に形成されている。具体的には、ヒンジ部７は、連続する紙素材上に押圧によって形成された圧痕により形成されている。即ち、ヒンジ部７は、蓋体６を回動させた場合に、当該圧痕が曲折することで収納体５に対して蓋体６が所定の位置で回動する案内（回転中心）である。
【００２８】
表示部１０は、窓部４１と、下絵紙４２と、ゲージ４３と、を備えている。窓部４１は、第１後壁１２に設けられた開口である。この窓部４１は、例えば、第１後壁１２の幅方向全体であって、高さ方向の一部に渡って開口する。なお、当該窓部４１は、包装容器１に設けられる情報表示に応じて、その形状及び位置は適宜変更可能である。
【００２９】
下絵紙４２は、第１後壁１２及び第２後壁２２により形成される背面と略同一又は若干小さい矩形状に形成されている。下絵紙４２は、窓部４１から表示される下絵４４と、ヒンジ部７と略同一位置に設けられた折線４５と、を備えている。また、下絵紙４２は、下絵４４が設けられた面上の、折線４５を挟んで下絵４４が設けられていない側の範囲に、第２後壁２２の内面に接着される糊代（接着部）４６が設けられる。
【００３０】
下絵４４は、複合画像、例えば、２つの画像で形成されている。具体的には、下絵４４は、図２の表示部１０に示す第１画像４４Ａと、図３の表示部１０に示す第２画像４４Ｂとを備えている。この第１画像４４Ａ及び第２画像４４Ｂは、後述するゲージ４３の格子４９間の隙間と略同一の幅で、画像に等間隔の欠部を有する。
【００３１】
また、第１画像４４Ａ及び第２画像４４Ｂは、一方の画像が他方の欠部に配置される。即ち、第１画像４４Ａ及び第２画像４４Ｂは、図６に示すように、画像及び欠部で互いに重なり合って一つの下絵４４を形成する。糊代４６は、接着剤により第２後壁２２に接着されることで、下絵紙４２を蓋体６に固定可能に形成されている。
【００３２】
ゲージ４３は、基材４７と、基材４７の両端側に設けられた舌部４８と、を備えている。  
基材４７は、透明な樹脂製のフィルム又は薄板状に形成され、隙間を有する格子４９が設けられている。具体的には、格子４９は、所定の隙間を有して等間隔で、一方向に沿って複数設けられた黒色または不透明のライン４９ａの組み合わせである。
【００３３】
なお、格子４９は、ライン４９ａが包装容器１の幅方向に沿うように配置され、窓部４１の開口と略同一の範囲に設けられている。なお、格子４９は、下絵４４を覆う範囲に配置されるのであればよい。また、格子４９は、基材４７の一部に色づけがなされる等により形成される。舌部４８は、基材４７の両端側に一対設けられている。舌部４８は、例えば、基材４７のうち、窓部４１よりも大となる範囲であって、格子４９が設けられていない部位ある。舌部４８は、第１後壁１２の内面に配置されるとともに、例えば、第１後壁１２の内面に接着される。
【００３４】
次に、このような包装容器１を形成するブランク２について図５を用いて説明する。なお、図５中、鎖線は、ブランク２の折線を示し、太線は切断部をそれぞれ示している。なお、折線とは、ブランク２の組立時に、ブランク２を折り込む部位であり、たとえば、ブランク２の製造時に、折線を案内する圧痕が形成される。また、切断部とは、所謂切れ刃と呼ばれるブランク２形成時に切断した部位である。
【００３５】
ブランク２は、包装容器１を展開した形状に紙素材を打ち抜き加工により切断した素材片である。ブランク２は、後面５１と、底面５２と、第１前面５３と、天面５４と、第１側面５５と、第２前面５６と、第２側面５７と、を備えている。また、ブランク２は、第１接続面６１と、第２接続面６２と、第３接続面６３と、第４接続面６４と、を備えている。ブランク２は、打ち抜き加工により打ち抜かれた外周縁２ａによって、その外形状が略矩形状に形成される。
【００３６】
後面５１は、第１、第２後壁１２、２２、及び、ヒンジ部７を形成する。具体的には、後面５１は、圧痕７１及び窓部４１が形成されている。圧痕７１はヒンジ部７である。窓部４１は、後面５１の一部が切断されて開口することで形成される。
【００３７】
また、後面５１は、その四辺に形成された圧痕７５〜７８を有する。後面５１は、これら圧痕７５〜７８に囲われた領域であって、且つ、圧痕７１の一方（図５中下方）の領域が第１後壁１２を形成し、圧痕７１の他方（図５中上方）の領域が第２後壁２２を形成する。即ち、後面５１は、圧痕７５〜７８が折り曲げられることで、第１、第２後壁１２，２２となる。
【００３８】
底面５２は、後面５１の下端に隣接して設けられ、圧痕７５，７９及び切断部８０，８１により、その形状が、底壁１４の形状に形成されている。なお、圧痕７９は、圧痕７５と平行に相対して設けられ、切断部８０，８１は、圧痕７５，７９の両端側にそれぞれ設けられている。
【００３９】
第１前面５３は、底面５２の下端に隣接して設けられ、圧痕７９，８２，８３及びブランク２の外周縁２ａにより、第１前壁１１の形状に形成されている。
【００４０】
天面５４は、圧痕７６，８６及び切断部８７，８８により、その形状が、天壁２４の形状に形成されている。天面５４は、後面５１に隣接して設けられている。なお、圧痕８６は、圧痕７６と平行に相対して設けられ、切断部８７，８８は、圧痕７６，８６の両端側にそれぞれ設けられている。
【００４１】
第１側面５５は、圧痕８２，８３をそれぞれ介して第１前面５３に隣接して設けられている。第１側面５５は、圧痕８２、切断部１０５及び外周縁２ａ、並びに、圧痕８３、切断部１０７及び外周縁２ａにより、第１側壁１３の形状に形成されている。
【００４２】
第２前面５６は、圧痕８６，９５，９６、９７により、その形状が第２前壁２１の形状に形成されている。第２前面５６は、天面５４に隣接して設けられている。また、第２前面５６は、圧痕９７に連続して舌片６８を備えている。この舌片６８は、圧痕９７に沿って曲折することで、第２前壁２１の内面に位置し、第２前壁２１に厚みを形成する。
【００４３】
第２側面５７は、圧痕９５，９６をそれぞれ介して第２前面５６に隣接して設けられている。第２側面５７は、圧痕９５、切断部１００及び外周縁２ａ、並びに、圧痕９６、切断部１０３及び外周縁２ａにより、第２側壁２３の形状に形成されている。
【００４４】
第１接続面６１は、圧痕１０４、切断部１０５及び外周縁２ａ、並びに、圧痕１０６、切断部１０７及び外周縁２ａにより、底面５２及び一対の第１側面５５に隣接して、一対形成されている。なお、第１接続面６１は、底面５２と積層可能な形状に形成されている。
【００４５】
第２接続面６２は、圧痕７７，１０４、切断部１０９及び外周縁２ａ、並びに、圧痕７８，１０６、切断部１１１及び外周縁２ａにより、後面５１、一対の第２側面５７及び第１接続面６１に隣接して、一対形成されている。なお、これら一対の第２接続面６２は、一対の第１側面５５とそれぞれ積層可能に形成されている。
【００４６】
第３接続面６３は、圧痕７７，１１３、切断部１０９及び外周縁２ａ、並びに、圧痕７８，１１５、切断部１１１及び外周縁２ａにより、後面５１及び第２接続面６２に隣接して、一対形成されている。第３接続面６３は、第２側面５７の形状と略同一形状に形成され、第２側面５７とそれぞれ積層可能に形成されている。
【００４７】
第４接続面６４は、圧痕１１３、切断部８７，１００及び外周縁２ａ、並びに、圧痕１１５、切断部８８，１０３及び外周縁２ａにより、天面５４、第２側面５７及び第３接続面６３に隣接して、一対形成されている。第４接続面６４は、天面５４とそれぞれ積層可能に形成されている。
【００４８】
このように構成されたブランク２は、ヒンジ部７を形成する圧痕７１を除く各圧痕が同方向に折りこまれる。このとき、一対の第１接続面６１が底面５２と、一対の第２接続面６２が一対の第１側面５５と、一対の第３接続面６３が一対の第２側面５７と、一対の第４接続面６４が天面５４と、それぞれ積層し、且つ、接着材により接着される。
【００４９】
ブランク２は、必要な折線を曲折し、必要面を接着することで、後面５１、第１、第２前面５３，５６、第１、第２側面５５，５７、底面５２及び天面５４により、第１、第２後壁１２，２２、ヒンジ部７、第１、第２前壁１１，２１、第１、第２側壁１３，２３、底壁１４及び天壁２４が形成される。
【００５０】
なお、ブランク２から収納体５の外体８及び蓋体６を形成後、又は、ブランク２から収納体５の外体８及び蓋体６を形成時に、下絵紙４２が設けられる。具体的には、下絵紙４２の糊代４６に接着剤を塗布し、折線４５を、ヒンジ部７を形成する圧痕７１に位置合わせを行い、糊代４６を第２後壁２２の内面と接着させる。これにより、下絵４４は、窓部４１に位置する。次に、外体８に内体９を接着し、包装容器１が形成される。なお、ここでは、包装容器１の内体９のブランク、及び、内体９と外体８との接着についての詳細な説明は省略する。
【００５１】
次に、窓部４１にゲージ４３を設ける。例えば、ゲージ４３は、窓部４１からその基材４７の格子４９が露出するように配置するとともに、舌部４８を第１後壁１２の内面側に配置させる。なお、このとき、舌部４８は、例えば、接着剤を用いて第１後壁１２の内面側に接着する。なお、ゲージ４３は、下絵紙４２の前に、第１後壁１２の内面に接着させてもよい。これらの工程により、表示部１０を有する包装容器１が形成される。
【００５２】
形成された包装容器１は、ブランク２、下絵紙４２、ゲージ４３及び内体９から包装容器１を形成する時に、内包体に包装されたたばこ束がその内部に設けられることで、たばこＴを包装する。たばこ束を包装した包装容器１は、包装容器１の外囲が透明フィルム等の外包フィルムで外包される。これにより、たばこ商品となる。なお、このとき、たばこＴが包装されたたばこ束（内包体）によって、下絵紙４２は、第１後壁１２側に押圧される。
【００５３】
このように構成された包装容器１は、開封後蓋体６を開閉することで、表示部１０に第１画像４４Ａ及び第２画像４４Ｂが表示されることとなる。
【００５４】
具体的に説明すると、蓋体６を閉状態からヒンジ部７を中心に回動させると、蓋体６に接着された下絵紙４２は、蓋体６の回動に伴って移動することとなる。即ち、下絵紙４２の糊代４６が蓋体６の回動に伴って回動する。下絵紙４２の折線４５から下絵４４側は、蓋体６に接着されていない。このため、蓋体６の回動に伴って下絵紙４２の糊代４６が回動すると、下絵紙４２の他部（下絵４４）は、蓋体６側に移動することとなる。
【００５５】
また、蓋体６を開状態からヒンジ部７を中心に回動させると、糊代４６も併せて回動し、下絵紙４２の他部（下絵４４）は、底壁１４側に向かって移動することとなる。
【００５６】
蓋体６の回動によって下絵４４が移動し、第１画像４４Ａが格子４９のライン４９ａ間の所定の隙間に位置すると、第１画像４４Ａの欠部の第２画像４４Ｂは、ライン４９ａに覆われる。このため、図２に示すように、第１画像４４Ａが表示部１０に表示される。
【００５７】
また、第２画像４４Ｂが格子４９のライン４９ａ間の所定の隙間に位置すると、第２画像４４Ｂの欠部の第１画像４４Ａは、ライン４９ａに覆われる。このため、図３に示すように、第２画像４４Ｂが表示部１０に表示される。これらのように、蓋体６の回動に伴って、第１画像４４Ａ及び第２画像４４Ｂが交互に表示部１０に表示されることとなる。
【００５８】
このように構成された包装容器１によれば、下絵紙４２を蓋体６の回動に伴って移動することで、表示部１０に異なる第１画像４４Ａ及び第２画像４４Ｂを表示させることが可能となる。また、下絵紙４２は、糊代４６を蓋体６の第２後壁２２の内面に接着させる構成であり、下絵紙４２の他部は第１後壁１２側への押圧や案内をする必要がない。
【００５９】
詳しく述べると、下絵紙４２の下絵４４は、ゲージ４３に近接することで、下絵４４が視認（表示）可能となる。しかし、下絵紙４２は、折線４５で折られるため、糊代４６のみを第２後壁２２に接着する構成であるため、図４に示すように、第１前壁１１側へ第１後壁１２から離間することとなる。
【００６０】
ここで、下絵紙４２は、包装容器１に包装されたたばこ束によって第１後壁１２側へと押圧され、ゲージ４３に近接する。即ち、下絵紙４２は、他の構成によって押圧や案内をされなくても、第１後壁１２に近接するように、包装容器１に包装されるたばこ束によって押圧及び案内がなされる。
【００６１】
このため、下絵紙４２は、糊代４６により第２後壁２２の内面に接着し、折線４５に沿って曲折されるとともに、蓋体６の回動に伴って回動するだけで、下絵４４がゲージ４３に近接する。このため、表示部１０に下絵４４の複数の画像４４Ａ，４４Ｂを交互に表示できる。
【００６２】
このように、包装容器１は、下絵４４の移動に伴って、第１画像４４Ａ及び第２画像４４Ｂが交互に表示部１０に表示することが可能となり、高い視覚的効果を得ることが可能となる。
【００６３】
また、包装容器１は、包装容器１に包装されるたばこ束によって第１後壁１２側へ案内するため、下絵紙４２を糊代４６で第２後壁２２に接着するという簡単な構成でよい。これらのように、包装容器１は、視覚効果が高い表示部１０を簡単な構成とすることで、製造コストの増大を防止することが可能となる。
【００６４】
上述したように、本実施の形態に係る包装容器１によれば、包装容器１の外表面に表示される情報だけでなく、表示部１０に異なる画像４４Ａ，４４Ｂを表示可能となることで、更なる視覚的効果を得ることが可能となる。また、包装容器１は、表示部１０に表示させる下絵紙４２は、糊代４６を蓋体６に固定し、下絵４４が設けられた部位は包装されるたばこ束によって押圧及び案内されるため、簡単な構成となり、製造コストの増大を防止することが可能となる。
【００６５】
なお、本発明は前記実施の形態に限定されるものではない。例えば、上述した例では、ヒンジ部７は、ブランク２に設けられた圧痕７１である構成を説明したがこれに限定されない。例えば、ヒンジ部７は、圧痕７１にさらに部分的に切断部を設けて構成してもよい。また、下絵紙４２の折線４５も、圧痕だけでなく、切断部を設けて構成してもよい。切断部を設けることで、曲折が容易となり、蓋体６の回動時において、ヒンジ部７及び折線４５の２つが同時に曲折する構成であっても、蓋体６の開閉が容易となる。
【００６６】
また、上述した例では、下絵紙４２の下絵４４は、第１画像４４Ａ及び第２画像４４Ｂの２つを有する構成としたがこれに限定されず、複数の画像であってもよい。また、上述した例では、ゲージ４３は、基材４７に格子４９を設ける構成を記載したが、これに限定されない。
【００６７】
ゲージ４３は、下絵４４の複数の画像４４Ａ，４４Ｂの一のみを視認可能とすればよく、例えば、ブランク２形成時において、格子に対応する部位を残存させて窓部を形成（切欠）させてもよい。即ち、第１後壁自体に格子に対応する格子部を紙素材で形成し、当該格子部で下絵４４の一部を覆えばよい。このような構成とすることで、ゲージは、ブランクの形成時に加工すればよく、別途基材等により形成したゲージを用いる必要がない。このため、包装容器の製造コストや、包装容器の組み立て工数を低減することが可能となる。この他、本発明の要旨を逸脱しない範囲で種々変形実施可能である。
【符号の説明】
【００６８】
１…包装容器、２…ブランク、２ａ…外周縁、５…収納体、６…蓋体、７…ヒンジ部、８…外体、９…内体、１０…表示部、１１…第１前壁、１２…第１後壁、１３…第１側壁、１４…底壁、１７…前内壁、１８…側内壁、２１…第２前壁、２２…第２後壁、２３…第２側壁、２４…天壁、３１…回動部、４１…窓部、４２…下絵紙、４３…ゲージ、４４…下絵、４４Ａ…第１画像、４４Ｂ…第２画像、４５…折線、４６…糊代（接着部）、４７…基材、８…舌部、４９…格子、４９ａ…ライン。
【図１】
2012184010.tif 000003
【図２】
2012184010.tif 000004
【図３】
2012184010.tif 000005
【図４】
2012184010.tif 000006
【図５】
2012184010.tif 000007
【図６】
2012184010.tif 000008
【図７】
2012184010.tif 000009